(57)【要約】【課題】樹脂製袋を複数の方向から容易に取り出すことが可能となる。【解決手段】周囲に広い開口を有する収納籠２０の内側に樹脂製袋束４０を収納し、さらに内側に略Ｕ字型に湾曲させた押圧板３０を配置した。略Ｕ字型に湾曲した押圧板３０が弾性力により樹脂製袋束４０を収納籠２０に押圧することにより、樹脂製袋束４０は収納籠２０付近の位置に導かれる。こうすることにより、収納籠２０は開口を有しているため、樹脂製袋束４０の最も表面側にある樹脂製袋４２を外部から容易に取り出すことができる。【選択図】図２
2010184715.tif 000002
【特許請求の範囲】
【請求項１】
被収納物の外側に配置され、少なくとも２以上の方向に開口を有する収納部材と、
前記収納部材に前記被収納物を押圧する押圧部材と、
を備えた収納装置。
【請求項２】
前記押圧部材は、前記被収納物の位置にかかわらず、該被収納物の少なくとも一部と前記収納部材とを弾性力により押圧し、当接させる弾性部材からなる、
請求項１に記載の収納装置。
【請求項３】
前記押圧部材は、前記被収納物を押圧する押圧面を更に有する、
請求項１又は２に記載の収納装置。
【請求項４】
前記収納部材は、該収納部材の下方に前記被収納物を保持する保持部を更に有する、
請求項１〜３のいずれか１項に記載の収納装置。
【請求項５】
前記収納部材は、１又は２以上の棒状の部材からなる、
請求項１〜４のいずれか１項に記載の収納装置。
【発明の詳細な説明】
【技術分野】
【０００１】
本発明は、収納装置に関する。
【背景技術】
【０００２】
従来、スーパーマーケット等のレジ台等に備えられる樹脂袋を取り出しやすくした収納箱が知られている。例えば、特許文献１には、袋台の上に樹脂製袋を二つ折りにして載せ、その上部から粘着部を先端に有するレバーを押し当てることにより、粘着部によって最上部に載せられた樹脂製袋１枚のみを取り出すことができる収納箱が記載されている。
【先行技術文献】
【特許文献】
【０００３】
【特許文献１】特開平１０−８１３７７
【発明の概要】
【発明が解決しようとする課題】
【０００４】
しかしながら、こうした収納箱では、樹脂製袋は上面のみからしか取り出すことができないという問題点があった。このため、こうした収納箱は、特許文献１の図７に示すように、使用者の作業場よりも低い位置に設置しなければならないため、設置場所が限定されるという問題点があった。
【０００５】
本発明は、このような課題に鑑みなされたものであり、複数の方向から容易に収納物を取り出すことができる収納装置を提供することを主目的とする。
【課題を解決するための手段】
【０００６】
本発明は、上述の目的の少なくとも一つを達成するために以下の手段を採った。
【０００７】
本発明の収納装置は、被収納物の外側に配置され、少なくとも２以上の方向に開口を有する収納部材と、前記収納部材に前記被収納物を押圧する押圧部材と、を備えたものである。
【０００８】
この収納装置は、収納部材の少なくとも２以上の方向に開口を有している。こうすることにより、被収納物を複数の方向から取り出すことができる。また、被収納物を収納部材に押圧する押圧部材を備えているため、被収納物は収納部材付近の位置に導かれる。こうすることにより、収納部材は開口を有しているため、被収納物が開口付近の位置に導かれることになり、被収納物を外部から容易に取り出すことができる。
【０００９】
本発明の収納装置において、前記押圧部材は、前記被収納物の位置にかかわらず、該被収納物の少なくとも一部と前記収納部材とを弾性力により押圧し、当接させる弾性部材であってもよい。こうすることにより、例えば、使用に伴って被収納物の厚さが減少するような場合であっても、この減少に伴って押圧部材の位置も変化し、押圧部材は、常に被収納物を収納部材に押圧することができる。すなわち、被収納物の厚さが減少し、押圧部材と収納部材との間から脱落することを未然に防ぐことができる。
【００１０】
本発明の収納装置において、前記押圧部材は、前記収納部材に前記被収納物を押圧し、前記開口の位置に前記被収納物の少なくとも一部を位置決めさせるものであってもよい。こうすることにより、被収納物の少なくとも一部が開口に導かれることになるため、被収納物を容易に取り出すことができる。
【００１１】
本発明の収納装置において、前記押圧部材は、前記被収納物を押圧する押圧面を更に有していてもよい。こうすることにより、被収納物に対して単位面積当たりにかかる押圧力が減少するため、被収納物に過剰な押圧力かかることを未然に防ぐことができる。
【００１２】
本発明の収納装置において、前記収納部材は、該収納部材の下方に前記被収納物を保持する保持部を更に有していてもよい。こうすることにより、例えば、被収納物が重く押圧部材のみでは位置決めできないものであったとしても、保持部で被収納物を保持することで、被収納物を収納部材に収納することができる。また、押圧部材の押圧力がより小さな押圧力であっても、被収納物を収納部材に収納することができる。
【００１３】
本発明の収納装置において、前記収納部材は、１又は２以上の棒状の部材からなるものであってもよい。こうすることにより、開口領域を広く確保できるため、被収納物をより容易に取り出すことができる。
【図面の簡単な説明】
【００１４】
【図１】本発明の樹脂製袋用ケース１０の構成の概略を示す斜視図である。
【図２】本発明の樹脂製袋用ケース１０の使用態様を示す斜視図である。
【図３】本発明の樹脂製袋用ケース１０の使用態様を説明する説明図である。
【図４】本発明の樹脂製袋用ケース１０の他の実施の形態を示す斜視図である。
【図５】本発明の樹脂製袋用ケース１０の他の実施の形態を示す斜視図である。
【発明を実施するための形態】
【００１５】
ここで、上記簡単に説明した図面に基づいて、本発明を実施するための形態を説明するにあたり、本実施の形態の構成要素と本発明の構成要素との対応関係を明らかにする。本実施の形態の樹脂製袋用ケース１０が本発明の収納装置に相当し、収納籠２０が収納部材に相当し、押圧板３０が押圧部材に相当し、樹脂製袋束４０が被収納物に相当し、下部バー２２が保持部に相当する。なお、樹脂製袋用ケース１０の使用態様を説明することにより、本発明の収納装置の使用態様の一例も明らかにしている。
【００１６】
次に、図１を用いて、本発明の樹脂製袋用ケース１０の構成を詳しく説明する。図１は、本発明の樹脂製袋用ケース１０の構成の概略を示す斜視図である。本発明の樹脂製袋用ケース１０は、図１に示すように、金属製の収納籠２０と樹脂製の押圧板３０とからなる。なお、以下において、前面側や背面側等の方向は、図１に記載の方向を基準として説明する。
【００１７】
収納籠２０は、下面側に下部バー２２を、背面側に接続板２４をそれぞれ備えており、図１に示すように、複数の棒状部材と接続板２４とによって形成されている。この収納籠２０は、下面側に下部バー２２を有するため、開放された上面側から樹脂製袋束４０を収納したとき、下面側から樹脂製袋束４０が脱落することを防ぐことができる。また、収納籠２０は棒状の部材を組みあわせることによって形成されているため、左右両側面側及び前面側には大きく開口している。このため、樹脂製袋束４０から樹脂製袋を取り出しやすい。
【００１８】
この収納籠２０は、図１に示すように、収納籠２０の大きさが樹脂製袋束４０の大きさよりも若干大きく設計されている。このため、縦置きで配置した場合であっても、樹脂製袋束４０が途中で折れてしまうことを未然に防ぐことができる。更に、外部から横方向に力が加わった場合に押厚板４０が破損することを未然に防ぐことができる。
【００１９】
接続板２４には、２つの貫通穴２５ａ及び２５ｂを有しており、図示しないビスを用いることで、図２に示すように、レジ台等の壁面１００に取り付けることができる。こうすることにより、レジの入力を行う作業領域と樹脂製袋の取り出しを行う作業領域との距離を縮めることができる。すなわち、利便性を向上させることができる。なお、図２は、本発明の樹脂製袋用ケース１０の使用態様を示す斜視図である。
【００２０】
押圧板３０は、１枚の板状の部材を略Ｕ字型に湾曲させたものである。このため、弾性力により湾曲部を軸として、略Ｕ字が開く方向に板状部材は復元しようとする。すなわち、押圧板３０を収納籠２０の内部に配置した場合、樹脂製袋束４０を収納籠２０に向かって押圧する。このとき、押圧板３０の表面部であって、特に略Ｕ字形状の側面部（本発明の押圧面に相当）で樹脂製袋束４０を押圧する。こうすることにより、収納籠２０と押圧板３０との間に配置された樹脂製袋束４０を収納籠２０の適切な位置に収納することができる。なお、この押圧板３０の大きさは、樹脂製袋束４０よりも若干小さく形成されている。
【００２１】
次に、こうして構成された本実施の形態の樹脂袋ケース１０の使用様態について図面を用いて説明する。ここで、図２は、本発明の樹脂製袋用ケース１０の使用態様を説明する説明図である。
【００２２】
まず、図３（Ａ）に示すように、押圧板３０の上に樹脂製袋束４０を載せる。なお、樹脂製袋束４０は、例えば、複数のポリティッシュ（登録商標）の束であっても良い。ポリティッシュ（登録商標）は、通常、複数枚が重ねられた束として袋入りで販売されており、この袋の中央部には、取り出し用の切り込みが付けられている。このような場合には、この切込部を上方向にして押圧板３０の上に載せる。
【００２３】
次に、図３（Ｂ）に示すように、押圧板３０と樹脂製袋束４０とを重ねたまま、押圧板３０を内側にして、略Ｕ字型に湾曲させる。そして、そのままの状態で、図３（Ｃ）に示すように、上面側より収納籠２０の内部に導入する。こうすると、押圧板３０が弾性力により略Ｕ字型に湾曲した状態から板状態へ変形しようとするため、樹脂製袋束４０が収納籠２０に押圧される。こうすることにより、樹脂製袋束４０を収納籠２０の所望の位置に収納することができる。
【００２４】
また、押圧板３０の湾曲は、収納籠２０が樹脂製袋束４０を介して係止することによって復元が妨げられている。このため、樹脂製袋束４０から樹脂製袋を取り出すことにより樹脂製袋束４０の厚さが薄くなった場合であっても、薄くなった分だけ押圧板３０の湾曲が復元し、樹脂製袋束４０を収納籠２０に押圧することができる。こうすることにより、樹脂製袋束４０の厚さの変化にかかわらず、樹脂製袋束４０を収納籠２０に押圧し続けることができる。
【００２５】
更に、全ての樹脂製袋束４０を使い切った場合には、収納籠２０のいずれかの開口より押圧板３０を略Ｕ字型に押圧し、上面側より取り出す。その後、再度同様の方法で新しい樹脂製袋束４０を配置することで、簡単に樹脂製袋束４０を交換することができる。なお、この使用態様は、樹脂製袋用ケース１０を使用する際の一例であり、使用者により、適宜使用方法を決定することができる。このように、樹脂袋ケース１０を使用する際には、図２に示すように、収納籠２０をレジ台等の壁面１００に取り付け、収納籠２０の内部に押圧板３０を挿入し、収納籠２０と押圧板３０との間に樹脂製袋束４０を配置して使用する。
【００２６】
以上詳述した本実施の形態の樹脂製袋用ケース１０によれば、収納籠２０は背面側を除き大きく開口しており、収納籠２０の内部に配置された押圧板３０により樹脂製袋束４０が収納籠２０に押圧され、樹脂製袋束４０は収納籠２０の表面付近、すなわち、開口付近に導かれる。こうすることにより、背面側以外の複数の方向から樹脂製袋を容易に取り出すことができる。
【００２７】
また、押圧板３０は、弾性変形した略Ｕ字形状で樹脂製袋束４０と当接しており、樹脂製袋束４０をその復元力（弾性力）により、収納籠２０に樹脂製袋束４０を係止させている。このため、樹脂製袋束４０の厚さが薄くなると、弾性力により略Ｕ字形状が開き、樹脂製袋束４０が薄くなった分だけ、押圧板３０と収納籠２０との距離が短くなる。こうすることにより、被収納物の厚さが減少し、押圧部材と収納部材との間から脱落することを未然に防ぐことができる。
【００２８】
更に、押圧板３０は、収納籠２０の側面部に略Ｕ字型に湾曲した側面で樹脂製袋束４０を押圧し、収納籠２０の開口に樹脂製袋束４０の位置を位置決めしているため、収納籠２０の開口付近に樹脂製袋束４０の一部が導くことができる。こうすることにより、使用者は、開口付近に導かれた樹脂製袋を収納籠２０からより容易に取り出すことができる。
【００２９】
更にまた、押圧板３０は、略Ｕ字に湾曲した側面で樹脂製袋束４０を押圧するため、一点で押圧する場合と比較して、樹脂製袋束４０に与えられる圧力を低下することができる。こうすることにより、樹脂製袋を取り出す際に、所定の位置にのみが押圧されることを原因とする樹脂製袋の破損を未然に防ぐことができる。
【００３０】
そして、収納籠２０は、下面側に樹脂製袋束４０を保持する下部バー２２を有しているため、樹脂製袋束４０が収納籠２０から脱落することを防止することができる。こうすることにより、収納籠２０に樹脂製袋束４０をより容易に配置することができる。また、押圧板３０の押圧力に比較して樹脂製袋束４０が重い場合であっても、収納籠２０に樹脂製袋束４０を収納することができる。
【００３１】
そして更に、収納籠２０は、棒状の部材からなるため、横方向の開口を広くすることができる。こうすることにより、使用者は、樹脂製袋を収納籠２０からより容易に取り出すことができる。
【００３２】
なお、本発明は上述した実施形態に何ら限定されることはなく、本発明の技術的範囲に属する限り種々の態様で実施し得ることはいうまでもない。
【００３３】
例えば、上述した実施の形態では、収納籠２０が接続板２４を介してレジ台等の壁面１００に取り付けられるものとしたが、図４に示すように、接続板２４の代わりに、レジ台等の壁面１００に予め取り付けられた釣り具５０を介して収納籠２０を取り付けてもよい。
【００３４】
ここで、この釣り具５０について、図面を用いて更に詳しく説明する。図４は、樹脂製袋用ケース１０の他の実施の形態を示す斜視図である。この釣り具５０は、貫通穴５２ａ及び貫通穴５２ｂと、上フック５４ａ及び下フック５４ｂとを備えている。釣り具５０は、貫通穴５２ａ及び貫通穴５２ｂを図示しないビスでそれぞれ固定することにより、レジ台等に固定される。また、上フック５４ａ及び下フック５４ｂを収納籠２０に水平方向に備えられた棒状の部材を掛けることにより、収納籠２０を固定することができる。こうすることにより、収納籠２０をレジ台等からの取り付け及び取り外しを容易に行うことができ、取り出し方向を自由に変更することができる。
【００３５】
上述した実施の形態では、一面に切込部を有する樹脂製袋束４０を用いたが、切込部は複数（例えば、３方向）有していても良い。こうすれば、切込部の方向を変更することなく複数の方向から樹脂製袋を取り出すことができるため、より利便性を向上させることができる。更に、樹脂製袋束４０は、切込部を有する袋に収納されていなくても良い。こうすれば、切込部の方向にかかわらず、樹脂製袋を取り出すことができるため、より利便性を向上させることができる。
【００３６】
上述した実施の形態では、金属製であって棒状の部材からなる収納籠２０を用いたが、例えば、硬質ゴム製やプラスチック製、セラミック製、ワイヤー構造等、収納物の重さ及び押圧板の押圧力に耐えうる素材であれば、特に限定されるものではない。このため、収納籠２０の材質は、収納物及び押圧板により、適宜選択することができる。また、収納籠２０を構成する部材も棒状に限定されるものではなく、板状部材など、開口を有していれば、種々の部材を用いることができる。この場合も、上述した実施の形態と同様の効果が得られる。
【００３７】
上述した実施の形態では、樹脂製の押圧板３０を用いたが、弾性を有する素材であれば特に限定されるものではなく、例えば、硬質ゴム製であっても良く、種々の素材を用いることができる。また、押圧板３０の形状も、略長方形状に限定されるものではなく、例えば、略多角形状であってもよいし、楕円状であっても良い。更に、押圧板３０の大きさも、樹脂製袋束４０より若干小さいものに限定されるものではなく、収納籠２０に収納可能な大きさであれば、樹脂製袋束４０よりも大きくても小さくてもよいし、略同一の大きさであっても良い。これらの場合も、上述した実施の形態と同様の効果が得られる。
【００３８】
上述した実施の形態では、樹脂製の押圧板３０を用いたが、樹脂製袋束４０を押圧可能な部材であれば特に限定されるものではなく、図５に示すように、接続板２４と保持具６２とをねじりバネ６０で接続し、保持具６２を用いて樹脂製袋束４０を押圧するものとしても良い。この場合も、上述した実施の形態と同様の効果が得られる。なお、ここで図５は、本発明の樹脂製袋用ケース１０の他の実施形態を示す斜視図である。
【００３９】
上述した実施の形態では、下面側に２つの下部バー２２を備えるものとしたが、下部バー２２の数は２つに限定されるものではなく、３つ以上であっても良いし、下面側を板状の部材で覆うものであっても良い。こうすれば、より重量が大きなものであっても収納籠２０に収納することができる。また、押圧板３０で樹脂製袋束４０を保持可能な場合には、下部バー２２を有しなくても良い。こうすれば、下部からも収納物を収納籠２０に収納することができるため、収納時の自由度を増すことができる。
【００４０】
上述した実施の形態では、被収容物を樹脂製袋束４０であるとしたが、湾曲可能なものであれば特に限定されるものではなく、例えば、紙製の袋であっても良いし、チラシ広告やクーポン券などの印刷物であっても良いし、フィルムやシートなどであっても良い。
【産業上の利用可能性】
【００４１】
上述した実施の形態で示すように、樹脂製袋の収納分野、特に、レジ台付属用樹脂製袋収納箱として利用することができる。
【符号の説明】
【００４２】
１０  樹脂製袋ケース、２０  収納籠、２２  下部バー、２４  接続板、２５ａ  貫通穴、２５ｂ  貫通穴、３０  押圧板、４０  樹脂製袋束、４２  樹脂製袋、５０  釣り具、５２ａ  貫通穴、５２ｂ  貫通穴、５４ａ  上フック、５４ｂ  下フック、６０  ねじりバネ、６２  保持具、１００  壁面。
【図１】
2010184715.tif 000003
【図２】
2010184715.tif 000004
【図３】
2010184715.tif 000005
【図４】
2010184715.tif 000006
【図５】
2010184715.tif 000007